(57)【要約】【課題】  運命や運勢を容易に判断することができる開運暦を提供する。【解決手段】  外円１１が描かれた平盤１０に、外円１１より半径が大きく同心円状に形成したドーナツ盤２０を回転可能に載置する。外円１１で画成した第１領域を周方向に１２等分に区分し、この区分した第１区分領域に、それぞれ運勢の指標となる地支の各要素として黒から灰を割り当てる。一方、ドーナツ盤２０の内周及び外周で画成した第２領域を周方向に１２等分に区分し、この区分した第２区分領域に、運命の指標となる天干の各要素として蒼から銀と、運勢のエネルギーの減退状態を示す勢減とを割り当てる。天干及び地支との組合せで運勢や運命の判断となる組合せを生年月日から割り出す。【選択図】  図１
2006309644.tif 000002
【特許請求の範囲】
【請求項１】
円が描かれた平盤と、この円より半径が大きく同心円状に形成されたドーナツ盤と、からなり、
上記円で画成された第１領域が周方向に１２等分に区分され、この区分された第１区分領域に、それぞれ、運勢の指標となる地支の各要素が割り当てられ、
上記ドーナツ盤の内周及び外周で画成された第２領域が周方向に１２等分に区分され、この区分された第２区分領域に、運命の指標となる天干の各要素が割り当てられ、
上記ドーナツ盤が上記円を囲むように上記平盤上に回転可能に載置されてなることを特徴とする、開運暦。
【請求項２】
前記第１領域の各第１区分領域には、黒、紺、青、緑、紫、黄、橙、茶、赤、桃及び白、灰からなる地支の各要素が割り当てられ、
地支が割り当てられた各第１区分領域は、その割り当てられた地支の要素を漢字表記する漢字表記領域と、割り当てられた地支の要素に対応した彩色が施されている彩色領域と、に区分されていることを特徴とする、請求項１に記載の開運暦。
【請求項３】
前記平盤には、前記ドーナツ盤の外側に、紺、紫、茶、白の各要素が割り当てられた各第１区分領域に対応して、それぞれ、東、南、西、北のマークが付されていることを特徴とする、請求項２に記載の開運暦。
【請求項４】
前記第２領域の各第２区分領域には、蒼、葉、柿、柑、藤、褐、紅、桜、玄及び銀からなる天支の各要素と、運勢のエネルギーの減退状態を示す勢減と、が割り当てられ、
天干の各要素が割り当てられた各第２区分領域は、割り当てられた天干の要素を漢字表記している漢字表記領域と、割り当てられた天干の要素に対応した彩色が施されている彩色領域と、に区分されていることを特徴とする、請求項１に記載の開運暦。
【発明の詳細な説明】
【技術分野】
【０００１】
本発明は、人の運勢や運命を判断する際に用いられる開運暦に関する。
【背景技術】
【０００２】
今日、人の運勢や運命を占う方法としては、十干十二支を用いる四柱推命、１から９までの星を使用する九星気学などが知られている。
四柱推命は、運命学の帝王と呼ばれており、運命や運勢のほか性格や適職や相性などを判断する際に用いられている。十干十二支のうち十干は、五行、即ち、木、火、土、金、水のそれぞれに対して、陽（兄）と陰（弟）とを組み合わせて、木の陽として甲（きのえ）、木の陰として乙（きのと）、火の陽として丙（ひのえ）、火の陰として丁（ひのと）、土の陽として戊（つちのえ）、土の陰として己（つちのと）、金の陽として庚（かのえ）、金の陰として辛（かのと）、水の陽として壬（みずのえ）、水の陰として癸（みずのと）を各要素として有している。一方、十二支は植物の成長過程を１２段階に分けて表した象徴であり、子、丑、寅、卯、辰、巳、午、未、申、酉、戌、亥を各要素として有し、それぞれ順に、水の陽、土の陰、木の陽、木の陰、土の陽、火の陰、火の陽、土の陰、金の陽、金の陰、土の陽、水の陰が対応している。
かかる十干と十二支との組合せにより、十干十二支は、時系列を６０のサイクルで１回転するものである。
この十干十二支により被験者の生年月日から年柱、月柱及び日柱を計算して、所定のルールに基いて、被験者の運命や運勢などが判断されている。
【０００３】
一方、九星気学は、一白水星、二黒土星、三碧木星、四緑木星、五黄土星、六白金星、七赤金星、八白土星、九紫火星という九つの星に分類された「気」を指標として、被験者が自己の生年月日からどの星に該当するかを九星早見表を参照して判断し、運勢の上昇や下降を判断するものと考えられている。
【発明の開示】
【発明が解決しようとする課題】
【０００４】
しかしながら、四柱推命では、十干十二支の組合せを、即ち、１０進法と１２進法とを組み合わせて用いているため、その対応関係は複雑であり、運命や運勢を判断するルールも複雑かつ難解である。
また、運命や運勢を判断する際の指標となる十干十二支でのその始点の決め方は、天体、特に太陽を中心に決めたものであり、地上にいる人間にとっては、時間的なズレが生じることから、地上にいる人の運命や運勢を判断することは難しい。
【０００５】
そこで、本発明は、上記課題に鑑み、運命や運勢を容易に判断することができる開運暦を提供することを目的とする。
【課題を解決するための手段】
【０００６】
上記目的を達成するために、本発明は、円が描かれた平盤と、この円より半径が大きく同心円状に形成されたドーナツ盤と、からなり、円で画成された第１領域が周方向に１２等分に区分され、この区分された第１区分領域に、それぞれ、運勢の指標となる地支の各要素が割り当てられ、ドーナツ盤の内周及び外周で画成された第２領域が周方向に１２等分に区分され、この区分された第２区分領域に、運命の指標となる天干の各要素が割り当てられ、ドーナツ盤が円を囲むように平盤上に回転可能に載置されてなることを特徴とする。
上記構成において、好ましくは、第１領域の各第１区分領域には、黒、紺、青、緑、紫、黄、橙、茶、赤、桃、白及び灰からなる地支の各要素が割り当てられ、地支が割り当てられた各第１区分領域は、その割り当てられた地支の要素を漢字表記する漢字表記領域と、割り当てられた地支の要素に対応した彩色が施されている彩色領域と、に区分されている。
好ましくは、平盤には、ドーナツ盤の外側に、紺、紫、茶、白の各要素が割り当てられた各第１区分領域に対応して、それぞれ、東、南、西、北のマークが付されている。
好ましくは、第２領域の各第２区分領域には、蒼、葉、柿、柑、藤、褐、紅、桜、玄及び銀からなる天支の各要素と、運勢のエネルギーの減退状態を示す勢減と、が割り当てられ、天干の各要素が割り当てられた各第２区分領域は、割り当てられた天干の要素を漢字表記している漢字表記領域と、割り当てられた天干の要素に対応した彩色が施されている彩色領域と、に区分されている。
【０００７】
上記構成によれば、平盤上で円により画成された第１領域を１２等分して各第１区分領域を形成し、各第１区分領域には運勢の指標となる地支の各要素が割り当てられ、また、平盤の円の外側にドーナツ盤が載置されて、このドーナツ盤でなる第２領域を１２等分して各第２区分領域を形成し、各第２区分領域には運命の指標となる天干の各要素が割り当てられている。よって、第１区分領域に割り当てられた地支の各要素と第２区分領域に割り当てられた天干の各要素との組み合わせを、ドーナツ盤を回転することにより容易に作り上げることができ、この組合せに基いて人の運命や運勢を判断することができる。
また、地支の要素が１２個からなり、天干の要素が１０個からなる場合には、天干の要素を割り当てなかった２個の第２区分領域に対して勢減を割り当てておき、所定のルールに基いて、２個の勢減と組み合わさった天干地支の要素から、人の運命や運勢を簡単に判断することができる。
また、地支の要素や天干の要素に対応するように、所定の区分領域に色彩を施すことにより、カラフルで人の運命や運勢を容易に判断しやすくなる。
【発明の効果】
【０００８】
本発明によれば、第１区分領域に割り当てられた地支の各要素と第２区分領域に割り当てられた天干の各要素との組み合わせを、平盤上でドーナツ盤を回転することにより容易に作り上げることができる。このように、天干及び地支との組合せで運勢や運命の判断となる組み合わせを生年月日から割り出す。よって、割り出した組合せに基いて人の運命や運勢を判断することが可能となる。また、第１区分領域や第２区分領域にそれぞれ対応する色彩を施すことにより、運命や運勢を分かりやすく表示することができるほか、親しみ易くなる。
【発明を実施するための最良の形態】
【０００９】
以下、図面を参照して本発明を実施するための最良の形態を説明する。
図１は、本発明の開運暦１００を模式的に示すもので、（Ａ）は平面図、（Ｂ）はＸ−Ｘ線に沿った断面図である。
開運暦１００は、円１１が描かれた平盤１０と、その円１１より半径が大きく同心円状に形成されたドーナツ盤２０とからなり、ドーナツ盤２０が円１１を囲むように平盤１０上に同じ円心を中心に回転可能に載置されてなる。
ここで、平盤１０上にドーナツ盤２０を回転可能に載置する形態としては、例えば図１（Ｂ）では、平盤１０に、円１１と中心を同じくするように溝１０ａが設けられ、この溝１０ａ内にドーナツ盤２０を配置するものを示す。ただし、これに限らず、平盤１０にこのような溝１０ａを設けないで窪みのない平面上にドーナツ盤２０を載置して、ドーナツ盤２０を回転する利用者が、平盤１０に描かれた円に沿うように、ドーナツ盤２０を回転させるようにしてもよい。或いは、ドーナツ盤２０を透明な円形シートを以て形成してもよく、この場合は平盤１０の中心に設けた中心軸にドーナツ盤２０を回転可能に挿入して回転させるようにしてもよい。
【００１０】
図１に示した開運暦１００では、円１１としての外円１１と、それより半径の小さい内円１２とが、同心円状に平盤１０に描かれている。そして、外円１１と内円１２とで画成された第１領域は、円心を中心に中心角が約３０度で１２等分されており、この周方向に区分された各領域には、運勢の指標となる地支の各要素が割り当てられている。
地支は、後述するように、黒、紺、青、緑、紫、黄、橙、茶、赤、桃、白及び灰を要素として備え、第１領域の各第１区分領域に時計回りにこの順に割り当てられている。
【００１１】
そして、好ましくは、図１に示すように、地支の各要素が割り当てられた各第１区分領域は、その割り当てられた地支の要素を漢字表記している漢字表記領域と、割り当てられた地支の要素に対応した彩色が施されている彩色領域とに区分されている。例えば、「黄」が割り当てられた領域は、「黄」として漢字表記する漢字表記領域（図で「黄」と印字された領域）と、それを示す色、ここでは黄色が施される彩色領域（図では×で示した領域）とに区分されている。
更に好ましくは、図１に示すように、その平盤１０には、ドーナツ盤２０の外側に、地支の要素として紺、紫、茶、白がそれぞれ割り当てられた各第１区分領域に対応して、東、南、西、北のマークが付されている。
【００１２】
一方、ドーナツ盤２０の内周及び外周で画成された第２領域は、円心を中心に中心各約３０度で１２等分されており、この周方向に区分された各第２区分領域には、運命の指標となる天干の各要素が割り当てられている。天干は、後述するように、蒼、葉、柿、柑、藤、褐、紅、桜、玄及び銀を要素として備え、ドーナツ盤２０の各第２区分領域に対して向って時計回りにこの順に割り当てられている。
そして、好ましくは、図１に示すように、天支の各要素が割り当てられた各第２区分領域は、更に、その割り当てられた天支の要素を漢字表記している漢字表記領域と、割り当てられた天支の要素に対応した彩色が施されている彩色領域と、に区分されている。
例えば、図１のように、「蒼」が割り振られた第２区分領域は、更に、それを「蒼」として漢字表記する漢字表記領域（図１で「蒼」と書かれた領域）と、それを示す色、ここでは青色が施される彩色領域（図１で斜線を付した領域）とに区分されている。なお、葉の色は緑色、柿の色は橙色、柑の色は黄色、藤の色は紫と白の混色、褐の色は紺と茶の混色、紅の色は赤、桜の色は桃色、玄の色は黒、銀の色は灰色とする（図５（Ｂ）参照）。このように、平盤１０やドーナツ盤２０に地支や天干の各要素を色で示すことにより、判断者が見やすく、また被験者に対して説明し易くなる。また、各要素に見合う名前やその色を対応させることで、判断者や被験者に対して臨場感を持たせることができる。
【００１３】
次に、変形例を示す。
図２は、本発明の開運暦の変形例を示し、（Ａ）は平面図、（Ｂ）はＹ−Ｙ線に沿った断面図である。
図２に示す開運暦２００において、図１の開運暦１００と異なる点は、先ず、地支の各要素を割り当てる第１区分領域がそれぞれ扇形であることである。即ち、円３１が平盤３０に描かれている。そして、円３１で画成された第１領域は、円心を中心に中心角が約３０度で１２等分されており、この区分された各領域には、運勢の指標となる地支の各要素が割り当てられている。この平盤３０には、円３１と中心を同じくするように溝３０ａが設けられ、この溝３０ａ内にドーナツ盤２０を載置する。
また、図１の開運暦１００と異なる点は、彩色する色彩領域を設けていないこと、また、地支の要素で真北を示す「白」が上（地図で北を指す方向）になるように配置した点である。そして、地支の要素で東南西北をそれぞれ示す「紺」、「紫」、「茶」、「白」に対応して、中心から東の向きを０°として反時計回りを正として、３０°〜６０°の範囲を鬼門となる方角を示す境界線を点線を印字し、さらに、その点線を円の中心を基点に点対称となるように点線を印字して、裏鬼門となる方角を示す境界線を印字してある。また磁北の向き（日本国では真北から６．５度西に傾いた方向）を示す磁北線が印字され、「磁北」の文字が印字されている。
かかる開運暦２００は、透明な板、例えばアクリル板に溝２０ａを設けて天盤とし、同様な透明な板をドーナツ状に成形することでドーナツ盤として作製することができる。
【００１４】
次に、開運暦１００，２００の第１区分領域及び第２区分領域にそれぞれ割り当てられる地支及び天干について説明する。
地支は運勢の指標を示すものであり、地支の要素は地の原理に基いて季節に応じた色彩を当てはめることから、地支を特に「地色彩星」と名付ける。この地色彩星の要素は、開運暦１００，２００の円１１，３１で画成された第１領域を１２等分した各第１区分領域に割り当てられる。ここで１２等分したのは、１年間の月と１日の時間を１２進法で示してその要素を示すためである。地色彩星は、地上の人間に影響を及ぼし、暦として機能することから、該当している星から人の運や方位を判断することができる。地色彩星の各要素は、黒、紺、青、緑、紫、黄、橙、茶、赤、桃、白及び灰であり、これらには、後述するように、木、火、土、金、水の５元素が対照され、この５元素は、順に、春、夏、土用、秋、冬の各要素が該当する（図５（Ａ）参照）。
天干は運命の指標を示すものであり、「１０」を天の摂理の数として地色彩星に対応した色彩を当てはめることから、天干を特に「天色彩星」と名付ける。この天色彩星の各要素は、あたかも星座の如く天空に天色彩星の要素が均等に並んで、地上の人間からみれば天色彩星の各星が回っているように動く。天星彩星の各要素は、蒼、葉、柿、柑、藤、褐、紅、桜、玄及び銀である。
以上のように地色彩星と天色彩星とを定め、これらの組み合わせた集合を特に「人色彩星」と名付ける。人色彩星は暦として機能することから、該当している星から人の運を判断することができる。なお、地色彩星は１２の要素からなり、天色彩星は１０の要素からなるので、地色彩星と天色彩星とを対応させると、地色彩星は２余り、天色彩星は２要素足りない。この足りない要素は、運のエネルギーが著しく減ずるという意味で、「勢減」と呼ぶことにする。
【００１５】
ここで、暦（年月日）の出発点は、次のような観点から定めることにする。
従来の月は、太陽が最も北から離れた１２月２２日頃（黄経２７０度）を中心として１２月７日頃〜１月５日頃を子月としており、月では１２月７日を始点としている。しかし、太陽が最も北から離れた時期は、冬至であって本来一番寒い時期であるはずであるが、実際地上で人が寒いと感じるのは、１月下旬〜２月上旬、つまり、２月４日頃（黄経３１５度）の立春の時期である。このように、一月を単位と考えた場合、１．５後にズレている。これを「月の指数で冬至から１．５ズレている。」と表現することにする。
また同様に、従来の時刻は、午後１１時〜午前１時を子の刻としており、時刻では午後１１時を始点としている。しかし、一番気温が下がる時期は明け方であり、月の指数が１．５後にズレているのに対応させて、午前０時を３時間（＝２時間×１．５）進めて午前３時を始点とする。具体的な対応関係は後述する（図５〜７参照）。
このように、太陽の動きが地上の人間に与える影響は、指数１．５程後にズレるので、地上の人間に対する運もこのようなズレを生じる。
【００１６】
ここで、地支及び天干はそれぞれ従来の十二支、十干に対応するので、この対応関係について次に説明する。
図３は地支及び天干の各要素を示した図で、（Ａ）は従来の十二支と対応させて地支の各要素を示した図、（Ｂ）は従来の十干と対応させて天干の各要素を示した図である。
地支とは、暦、時間及び方位を示す指標のみならず運の勢いを示す指標であり、１２進法で１サイクルするもので、図３（Ａ）に示すように、黒星、紺星、青星、緑星、紫星、黄星、橙星、茶星、赤星、桃星、白星及び灰星を要素として備える。ここで、「星」という語を付したのは、これらの集合を「地色彩星」と名付けているためである。
一方、天干とは、目に見えない天の動き、つまり、運命を示す指標であり、１０進法で一サイクルするもので、図３（Ｂ）に示すように、蒼星、葉星、柿星、柑星、藤星、褐星、紅星、桜星、玄星及び銀星を要素として備える。ここで、「星」という語を付したのは、「天色彩星」と名付けているためである。
以上の地支と天干とを組み合わせて、人の運勢や運命を占うことができる。
【００１７】
次に地支と天干との組合せについて説明する。
図４は、地支と天干との組合せを示した図である。また、この図は、人色彩星の番号と勢減の早見表としても使用することはできる。地支と天干とを組み合わせる際、地支の最初の要素である「黒」と天干の最初の要素である「蒼」とを組み合わせて「蒼黒」、次に、地支の二番目の要素である「紺」と天干の二番目の要素である「葉」とを組み合わせて「葉紺」というように、順番に組み合わせていくと、地支と天干との進法が異なるので、地支の１１番目の「白星」及び１２番目の「灰星」に対応する天干の要素がない。そこで、これらの要素については、天干の１番目の「蒼」及び２番目の「葉」にそれぞれ組み合わせて、「蒼白」、「葉灰」とする。以下同様にして、図４に示すように、地支と天干との組合せとして、６０個の要素を作成することができる。
ここで、図４に示すように、地支が１２進法で天干が１０進法であるために、その組合せがうまく作成できない地支の要素、即ち、表１の最下欄に左から順に、「白灰」、「赤桃」、「橙茶」、「紫黄」、「青緑」、「黒紺」は、勢減の要素であり、運勢のエネルギーが著しく減じることを示す。図４に示した「運勢のエネルギー指数」が「０．５」というのは、この勢減に該当すると、運勢のエネルギーを半減することを示している。
【００１８】
また、地支や天干は単にその組合せの要素としてではなく、次のような暦としての意味合いをもつ。
図５（Ａ）は地支で１月乃至１２月を割り当てた一覧表であり、図５（Ｂ）は天干で季節を割り当てた一覧表である。なお、（Ｂ）には割り当てた色も示してある。
図５（Ａ）に示すように、地支の第１番目の要素「黒」が２月になるようにする。また、図５（Ｂ）に示すように、天干の第１番目の要素「蒼」が春になるようにする。
図６（Ａ）は地支で１月乃至１２月を割り当てた一覧表であり、（Ｂ）は従来の十二支で１月乃至１２月を割り当てた一覧表である。図６（Ｂ）に示すように、従来十二支の第１番目の要素「子」が１２月に該当し、第２番目の要素「丑」が１月を示しているが、前述した地支においては、図６（Ａ）に示すように、その第１番目の要素「黒」が２月となるように、始点を決める。なお、天干は、地支の順番と一致させるように季節を割り当てる。ここで、天干の各要素は図５に示すように、それに対応するように色が付与されている。
図７（Ａ）は地支で時を割り当てた一覧表であり、（Ｂ）は従来の十二支で時を割り当てた一覧表である。図７（Ｂ）に示すように、従来十二支の「子」は午後１１時〜午前１時を示すものとして使用されているが、前述した地支においては、図７（Ａ）に示すように、その一番目の要素「黒」が午前３時〜午前５時を示すものとして使用する。
【００１９】
また、地支と天干とを組み合わせて得られる６０個の要素は年月日を表すためにも使用される。
図８（Ａ）は地支と天干との組合せで年を割り当てた一覧表であり、（Ｂ）は従来の十干十二支で年を割り当てた一覧表である。図８（Ｂ）に示すように、従来十干十二支で数えていた年を、図８（Ａ）に示すように、地支と天干との組合せ（天干地支）で数える。これらの図を比較して分かるように、従来では、九星気学で数えていた順番と十干十二支で数えていた順番とは逆行するが、前述の地支と天干との組合せで数える場合には、時系列と同じ方向にする。また、図８（Ａ）に示すように、最上段の行は全て地色彩星と、最下欄の行は、地色彩色の頭に天色彩星と付けて、人色彩星と名づける。かように、任意の年には人色彩星が割り当てられるが、任意の日にも同様に人色彩星を割り当てる。
以上のように、従来の十二支は太陽の動きを基準に月や時の別名としても使用されており、その際、太陽の地球への影響に合わせるように、例えば、十二支では、子は１２月（１２月７日頃〜１月５日）や午後１１時〜午前１時に対応するが、本発明の開運暦１００，２００では、子に相当する黒星を２月（２月４日〜３月５日）や午前３時〜５時に対応させる。
【００２０】
また、十二支は方位の別名としても使用されており、例えば卯、午、酉、子はそれぞれ東、南、西、北に対応するが、本発明の開運暦１００，２００では、紺、紫、茶、白をそれぞれ東、南、西、北に対応させる。
【００２１】
次に、本発明の開運暦１００，２００の使用の仕方について説明する。
被験者の生年月日が例えば１９６０年１２月１０日とすると、この年は「庚子」であるが、前述の地支天干に合わせると「紅黒」である。平盤１０上でドーナツ盤２０を回転させて、平盤１０の第１領域で区分された各第１区分領域のうち「黒」が割り当てられた箇所と、ドーナツ盤２０の第２領域で区分された各第２区分領域のうち「紅」が割り当てられた箇所と、を合わせる。この合わせた状態を示したのが図１や図２である。この地支の「紅」と天干の「黒」との組合せで、被験者の勢減、つまり、運が減退することを示す指標が、「紫黄」、つまり、「紫」及び「黄」であることが一目瞭然となる。これにより、所定のルールに従って運命や運勢を判断することができる。簡単な例を挙げると、判断を行った年が「紫」または「黄」を含む年であるようであれば、運の減退が重畳して、この年は特に注意すべきと判断したり、このときの「紫黄」が丁度裏鬼門の方向と重なるようなドーナツ盤２０の配置の場合には、注意すべき方向と判断したりする。また、被験者の生年月日から年柱、月柱及び日柱を計算して、従来の四柱推命で用いられているような通変星早見表や十二運星早見表に照らし合わせて、所定のルールに従って運命や運勢が判断される。
【００２２】
また、年を数える場合には、図８（Ａ）に示すように、２０００年は「紅紫」に相当することが分かっていれば、それから２年後の２００２年は何に対応するかを判別する際、ドーナツ盤２０を回転させて、第１区分領域に割り当てられている「紫」の領域の外側に第２区分領域に割り当てられている「紅」を合わせて固定し、「紅」と「紫」の組合せの領域から時計回りに２つ数えることにより、「玄」と「橙」との組合せを得ることができる。この得た「玄橙」が２００２年に対応する。
なお、２００６年は、「紅」と「紫」の組合せの領域から時計回りに６つ数えることにより該当する組合せを得ることができるが、その４つ目の第２区分領域が「勢減」になるので、ドーナツ盤２０を反時計回りに６０度回転させて固定し、「蒼」と「赤」とを合わせた区分領域を４つ目として更に２つ時計回りに数えることにより「柿」と「白」との組合せを得ることができる。この得た「柿白」とが２００６年に対応する。
このようにして、図１及び２に示した開運暦１００，２００で、ドーナツ盤２０を回転させることで、人色彩星が分かり、地支及び天干からなる年の暦も、容易に知ることができる。よって、図１及び２に示した開運暦１００，２００においてドーナツ盤２０を回転させることにより人色彩星が分かるので、生年月日の年、月、日に対応した人色彩星を求め、宿命運を判断することができる。そして、過去・現在・未来の運とその方位の運と各勢減が分かる。
【００２３】
その一例として、生まれた年からその人の各年の運についてどのように判断するかについて説明する。
図９は宿命運を判断する際に用いる判断シート３００の一例を示した図であり、（Ａ）は判断シート３００、（Ｂ）は判断シート３００に描かれる各枠部３１０に記入されるべき項目を示した図、（Ｃ）は中央部３２０に記入されるべき項目を示した図である。
図９（Ａ）に示す判断シート３００は、各年の運を示すための枠部３１０を中央部３２０を囲むように外周に１２個備える。枠部３１０内には、図９（Ｂ）に示すように、第１行目に占い対象年と被験者の年令、第２行目に運項目とその年の天色彩星、第３行にエネルギー値と地色彩星、第４行目に吉凶をそれぞれ記入する。中央部３２０には、図９（Ｃ）で示すように、上から順に被験者の生まれた年、生まれた年の天色彩星、生まれた年の地色彩星、生まれた年のもともとのエネルギー値を記入することができるようになっている。
【００２４】
図１０は、地色彩星同士の吉凶をテーブルとして示した図である。縦横のそれぞれの項目欄、即ち図１０の第１行目と最も右側の列との各欄には地色彩星の要素が示されており、地色彩星同士の吉凶を、大吉を◎とし、吉を○とし、凶を×として、大凶を♯として、それぞれマークで付してある。マークで示してあることで分かりやすくなる。
図１１は、天色彩星同士からみた運をテーブルとして示した図である。横項目欄、即ち図１１の第１行目には、一方の天色彩星の各要素が示されており、縦項目、即ち、図１１の最も右側の列には、運項目（自分、仲間、食働など）が示してある。そして、一方の天色彩星と各運項目に対応するように他方の天色彩星が、対応するように各列の行に示してある。
図１２は、天色彩星と地色彩星とから生じる運エネルギー値をテーブルとして示した図である。横項目欄、即ち、図１２の第１行目には、天色彩星の各要素が示されており、縦項目、即ち、図１２の最も右側の列には、エネルギー値が示してある。図１２のテーブル中に、各天色彩星に対して縦項目の各エネルギー値に対応するように、地色彩星の要素が、その列の行に示してある。
【００２５】
一例として被験者の生まれた年が１９６６年（昭和４１年）である場合、判断シート３００をどのように埋めて判断するかについて説明する。
先ず、被験者の生まれた１９６６年の人色彩星を、図１及び２に示した開運暦１００，２００を用いて求める。いま、仮に、２０００年が「紅紫」に相当することが分かっている場合には、前述した方法で、逆算して１９６６年が「柿橙」であることが分かる。よって、図１３に示すように、判断シート３００の中央部３２０に、上から順に、「１９６６年Ｓ４１年生」、「柿」、「橙」を記入する。そして、図１２に示したテーブルを用いて、「柿」の天色彩星（図１２の右から４列目）と「橙」の地色彩星（図１２の第８行目）とを結んで、生まれながらにしてもつエネルギー値が「２０」であると分かる。すると、図１３に示すように、中央部３２０にエネルギー値「２０」を記入する。
【００２６】
例えば、２００年の運を調べるために、先ず、２０００年が図９のどの枠部３１０に対応するかを調べる。つまり、２０００年の人色彩星を前述と同様に、図１及び図２に示した開運暦１００，２００を用いて調べると、「紅紫」であることが分かる。よって、図１３に示すように、左上の枠部が該当することが分かる。
次に、この２０００年の運を吉凶を含めて調べる。このとき、自分の生まれた年から２０００年の吉凶をみるので、先ず、生まれた年（１９６６年）の地色彩星が「橙星」であり、２０００年の地色彩星が「紫星」であることを確認し、図１０のテーブルを用いて、横項目が「橙」の列（図１０の右側から８列）で、縦項目が「紫」の行（図１０で６行）をみて、「○」（吉）であることを確認する。
そして、２０００年の運項目を図１１のテーブルを用いて調べる。生まれた年（１９６６年）の天色彩星が「柿星」であり、２０００年の天色彩星が「紅星」であることを確認して、図１１のテーブルを用いて、横項目が「柿」の列（図１１の右側から４列）で、「紅」の行をみて、その縦項目名から「金財」であることを確認する。
最後に、求めた「金財」の運のエネルギー値を図１２のテーブルを用いて調べる。生まれた年（１９６６年）の天色彩星が「柿星」であり、２０００年の地色彩星が「紫星」であることを確認して、図１２のテーブルを用い、横項目が「柿」の列（図１０の右側から４列）で「紫」の行をみて、その縦項目名から「１６」であることを確認する。
以上により、１９６６年生まれの被験者の２０００年は「吉」であり、２０００年は金財の運の年で、その運のエネルギー値が「１６」であることが分かる。よって、この内容を、図９の左上の枠部（「紫」が印字された枠部）に、図１３のように書き込む。
【００２７】
以下同様にして、２０１１年までの運を求めて図１３のように書き込む。
なお、図１３に示すように、判断シート３００は、枠部３１０は全部で１２個あるので、そのうち２個（図９で「青」、「緑」の印字された枠部）は勢減となり、この年のエネルギー値は、図１２のテーブルから求めて、１／２倍とする。
このように、判断シート３００の各枠部内を埋めることで、どの時期に如何なる運命や運勢がめぐってくるかを一目瞭然にわかるようになる。
【００２８】
以上説明したように、円１１内を円周角約３０度で１２等分に区分し、その区分された区分領域に地支の要素を順に割り当て、更に、その円の外側に同じく１２０等分に区分されたドーナツ盤を配置して、ドーナツ盤を回転するようにしておくことにより、被験者の生年月日からその人についての運が減退することを示す指標が一目瞭然となり、所定のルールに従って、被験者の運命や運勢を判断することができる。
【図面の簡単な説明】
【００２９】
【図１】本発明の開運暦を模式的に示すもので、（Ａ）は平面図、（Ｂ）はＸ−Ｘ線に沿った断面図である。
【図２】本発明の開運暦の変形例を示し、（Ａ）は平面図、（Ｂ）はＹ−Ｙ線に沿う断面図である。
【図３】地支及び天干の各要素を示した図で、（Ａ）は従来の十二支と対応させて地支の各要素を示した図、（Ｂ）は従来の十干と対応させて天干の各要素を示した図である。
【図４】地支と天干との組合せを示した図である。
【図５】地支で１月乃至１２月を割り当てた一覧表であり、図５（Ｂ）は天干で季節を割り当てた一覧表である。
【図６】（Ａ）は地支で１月乃至１２月を割り当てた一覧表であり、（Ｂ）は従来の十二支で１月乃至１２月を割り当てた一覧表である。
【図７】（Ａ）は地支で時を割り当てた一覧表であり、（Ｂ）は従来の十二支で時を割り当てた一覧表である。
【図８】（Ａ）は地支と天干との組合せで年を割り当てた一覧表であり、（Ｂ）は従来の十干十二支で年を割り当てた一覧表である。
【図９】宿命運を判断する際に用いる判断シートの一例を示し、（Ａ）は判断シート、（Ｂ）は判断シートに描かれる各枠部に記入されるべき項目を示す図、（Ｃ）は中央部に記入されるべき項目を示す図である。
【図１０】地色彩星同士の吉凶をテーブルとして示す図である。
【図１１】天色彩星同士からみた運をテーブルとして示す図である。
【図１２】天色彩星と地色彩星とから生じる運エネルギー値をテーブルとして示す図である。
【図１３】図９の判断シートに求めた運命や運勢を記入した例を示す図である。
【符号の説明】
【００３０】
１００，２００  開運暦
１０，３０      平盤
１０ａ，３０ａ  溝
１１，３１      円（外円）
１２            内円
２０            ドーナツ盤
３００          判断シート
３１０          枠部
３２０          中央部
【図１】
2006309644.tif 000003
【図２】
2006309644.tif 000004
【図３】
2006309644.tif 000005
【図４】
2006309644.tif 000006
【図５】
2006309644.tif 000007
【図６】
2006309644.tif 000008
【図７】
2006309644.tif 000009
【図８】
2006309644.tif 000010
【図９】
2006309644.tif 000011
【図１０】
2006309644.tif 000012
【図１１】
2006309644.tif 000013
【図１２】
2006309644.tif 000014
【図１３】
2006309644.tif 000015